(57)【要約】【課題】組み込み式等のガスコンロの操作部の操作性、視認性を向上させる。【解決手段】キッチンカウンター１４の開口部１４ａに組み込み設置されるコンロ本体１１と、コンロ本体を覆いキッチンカウンターの開口部縁の上面に載置される天板１３と、コンロ本体内に設け、天板上に臨むバーナ１５と、コンロ本体内に設け、ステッピングモータ１９に作動されてバーナにガスの供給、遮断とガス流量の制御で火力調節を行うガス流量制御装置１６およびガス流量制御装置を制御し、バーナの点火−消火および火力調節の指示を行う制御手段２３と、制御手段にバーナの点火−消火および火力調節等の信号を送る電気的接点方式の操作部２５とを備え、操作部は天板の上面における周辺前部１３ａで、かつバーナの火炎の熱影響を考慮した位置に配置した組み込み式ガスコンロである。【選択図】図２
2005098539.tif 000002
【特許請求の範囲】
【請求項１】
コンロ本体と、前記コンロ本体の上部を覆う天板と、前記コンロ本体内に設け、前記天板上に臨むバーナと、前記コンロ本体内に設け、前記バーナにガスの供給、遮断とガス流量を制御して火力調節を行うガス流量制御装置および前記ガス流量制御装置を制御し、バーナの点火−消火および火力調節の指示をする制御手段と、前記制御手段にバーナの点火−消火および火力調節等の信号を送る電気的接点方式の操作部とを備え、前記操作部は前記天板の上面における周辺部で、かつバーナの火炎の熱影響が少ない位置に配置したガスコンロ。
【請求項２】
コンロ本体と、前記コンロ本体の上部を覆う天板と、前記コンロ本体内に設け、前記天板上に臨むバーナと、前記コンロ本体内に設け、前記バーナにガスの供給、遮断とガス流量を制御して火力調節を行うガス流量制御装置および前記ガス流量制御装置を制御し、バーナの点火−消火および火力調節の指示をする制御手段と、前記制御手段にバーナの点火−消火および火力調節等の信号を送る電気的接点方式の操作部とを備え、前記操作部は前記天板の上面における周辺前部に配置したガスコンロ。
【請求項３】
操作部に連動してバーナの点火−消火および火力調節等のコンロ本体の作動状態を示す表示部を操作部に近接して設けた請求項１または請求項２に記載のガスコンロ。
【請求項４】
操作部は、タクトスイッチ、静電容量スイッチ等の軽く触って動作するソフトタッチ方式となる構成にした請求項１〜３のいずれか１項に記載のガスコンロ。
【請求項５】
天板の上面に配置した操作部とバーナとの間に遮熱壁を設けてなる請求項１〜４のいずれか１項に記載のガスコンロ。
【請求項６】
制御手段と操作部との信号伝達を、無線またはフラットケーブル等の有線で行う構成とした請求項１〜５のいずれか１項に記載のガスコンロ。
【発明の詳細な説明】
【技術分野】
【０００１】
本発明は、キッチンカウンターに組み込んで使用する組み込み式ガスコンロ、ガス置き台に載せて使用するガステーブル等のガスコンロに関し、特に操作部の構成に係るものである。
【背景技術】
【０００２】
従来、組み込み式ガスコンロは一般に加熱手段となるバーナの点火−消火（以下ＯＮ−ＯＦＦという）および火力調節は、器具本体であるコンロ本体の略垂直な前側面に設けた操作部で行っている。
【０００３】
また、操作部をコンロ本体の天板上に設けた場合、コンロ本体の両側のどちらか一方に設けるような構成もある（例えば、特許文献１参照）。このような構成において、図４に示すようにコンロ本体１は、天板２をキッチンカウンター３に載せて組み込み、そして天板２上に並設したバーナ４は手動機械式のガスコック５を介してガスを供給するように構成すると、ガスコック５の操作部となる摘み６が天板２の上面における左右どちらかに突出して設けねばならなくなる。図中、７はゴトクである。
【０００４】
しかしながら、上記従来の前者の構成では、コンロ本体の前側面の操作部でバーナのＯＮ−ＯＦＦおよび火力調節を行う場合、その操作部が通常、腰の高さにあり、身体を折り曲げる、または屈み込む等の不自然な姿勢を強いられ、操作がし難いのと操作の結果を見て確認する視認性が悪かった。
【０００５】
また、操作部である摘み６がコンロ本体１の天板２上にある上記従来の後者の構成では、ガス流量制御部と操作部が一体となった手動機械式のガスコック５がバーナ４にガスを供給するための配置がバーナの位置を考慮しなければならなく、一方、ガスコック５の操作部である摘み６はガスコック５の配置と操作性に制約される等で、操作性のみを考慮して天板２上に摘み６を配置できず、また摘み自体の容積も大きく、極めて限られたスペースに限られた機能しか設けることができない。
【０００６】
また、摘み６が高さを有するので、バーナ４の火炎の熱影響を受けて熱くなることが予想されるとともに、天板２上に突き出ているため天板２の拭き掃除等がし難い欠点を有している。
【０００７】
また、摘み６は天板２の左右いずれかに設けているので、キッチンカウンター３のスペースを摘み６の設置スペース分だけ狭くすることになったり、摘み６を複数設ける場合、天板２の手前側から奥方向に複数の摘みを並べることになるため、奥に設けた摘みほど操作性が悪くなることが考えられる。
【特許文献１】特開２００２−８９８５４号公報
【発明の開示】
【発明が解決しようとする課題】
【０００８】
前記背景技術の問題点に鑑み、本発明が解決しようとする課題は、楽な姿勢で操作を行え、かつ視認性のよい操作部を備えたガスコンロを提供することにある。
【課題を解決するための手段】
【０００９】
前記課題を解決するために、本発明のガスコンロは、コンロ本体と、前記コンロ本体の上部を覆う天板と、前記コンロ本体内に設け、前記天板上に臨むバーナと、前記コンロ本体内に設け、前記バーナにガスの供給、遮断とガス流量の制御で火力調節を行うガス流量制御装置および前記ガス流量制御装置を制御し、バーナの点火−消火および火力調節の指示をする制御手段と、前記制御手段にバーナの点火−消火および火力調節等の信号を送る電気的接点方式の操作部とを備え、前記操作部は前記天板の上面における周辺部で、かつバーナの火炎の熱影響が少ない位置に配置した構成である。
【００１０】
これによって、バーナにガスの供給、遮断とガス流量の制御で火力調節を行うガス流量制御装置およびその制御手段をコンロ本体内に設置し、一方、操作部はガス流量制御装置およびその制御手段の設置位置に左右されることなく別個にでき、バーナの火炎による熱影響、操作性、視認性のみを考慮し、天板上の温度的に設置可能なバーナの熱影響が少ない天板の上面の周辺部に配置することが可能になり、操作性、視認性を向上できる。
【発明の効果】
【００１１】
本発明のガスコンロは、ガス流量制御装置およびその制御手段とは別個に操作部を天板の上面における周辺部に配置することができ、操作性の良い位置に設置でき、操作がし易いとともに、操作の確認を見やすくできる。
【発明を実施するための最良の形態】
【００１２】
第１の発明は、コンロ本体と、前記コンロ本体の上部を覆う天板と、前記コンロ本体内に設け、前記天板上に臨むバーナと、前記コンロ本体内に設け、前記バーナにガスの供給、遮断とガス流量の制御で火力調節を行うガス流量制御装置および前記ガス流量制御装置を制御し、バーナの点火−消火および火力調節の指示をする制御手段と、前記制御手段にバーナの点火−消火および火力調節等の信号を送る電気的接点方式の操作部とを備え、前記操作部は前記天板の上面における周辺部で、かつバーナの火炎の熱影響が少ない位置に配置したガスコンロである。
【００１３】
これにより、天板上の温度的に設置可能な周辺部に自在に操作部を配置することが可能になり、操作部の設置位置が容易に決められ、かつ操作性、視認性を高めることができる。
【００１４】
第２の発明は、コンロ本体と、前記コンロ本体の上部を覆う天板と、前記コンロ本体内に設け、前記天板上に臨むバーナと、前記コンロ本体内に設け、前記バーナにガスの供給、遮断とガス流量の制御で火力調節を行うガス流量制御装置および前記ガス流量制御装置を制御し、バーナの点火−消火および火力調節の指示をする制御手段と、前記制御手段にバーナの点火−消火および火力調節等の信号を送る電気的接点方式の操作部とを備え、前記操作部は前記天板の上面における周辺前部に配置したガスコンロである。
【００１５】
これにより、操作部はガス流量制御装置およびその制御手段の設置位置に左右されることなく、操作性、視認性を考慮して天板上の温度的に設置可能な天板の上面における周辺前部に配置できるので、操作性、視認性を高めることができる。
【００１６】
第３の発明は、第１または第２の発明における操作部に連動してバーナの点火−消火および火力調節等のコンロ本体の作動状態を示す表示部を操作部に近接して設けたことにより、さらに操作部の操作性、視認性を高めることができる。
【００１７】
第４の発明は、第１〜第３の発明のいずれか１つにおける操作部は、タクトスイッチや静電容量スイッチ等の軽く触って動作するソフトタッチ方式となる構成にしたことにより、操作部を天板と同程度の厚さで構成でき、デザイン的に有利になることはもちろん、天板上の掃除を容易に行うことができる。
【００１８】
第５の発明は、第１〜第４の発明のいずれか１つにおける操作部とバーナとの間に遮熱壁を設けた構成としたことにより、バーナの火炎からの熱を遮熱し、操作部の温度上昇を低減できるとともに、鍋等が遮熱壁に置かれることで操作部に触ることがなくなり、ガスコンロが不意に動作するのを防止することができる。
【００１９】
第６の発明は、第１〜第５の発明のいずれか１つにおけるガス流量制御装置の制御手段と操作部との信号伝達を、無線またはフラットケーブル等の有線で行うことにより、操作部を着脱自在にしてリモコンである遠隔操作部または天板の上面における周辺部にも設置することが可能になる。
【００２０】
以上のように本発明のガスコンロは、第１〜第６の発明を実施の形態の要部とすることにより本発明の目的を達成できるので、以下には各請求項に対応する実施の形態の詳細を、図１〜図３を参照して説明し本発明を実施するための最良の形態の説明とする。なお、この実施の形態によって本発明が限定されるものではない。
【００２１】
（実施の形態１）
図１は、本発明の実施の形態１における組み込み式ガスコンロの要部切欠の上面図で、図２は同組み込み式ガスコンロの概略断面図で、図３は組み込み式ガスコンロのガス流量制御部分のブロック図を示すものである。
【００２２】
図１〜図３において、機器本体であるコンロ本体１１は、箱状に成形されたケース１２で構成し、上部を天板１３で覆われている。そして、コンロ本体１１は、キッチンカウンター１４の開口部１４ａに落し込んで組み込まれ、天板１３はその外周縁を開口部１４ａの周縁部の上面に載置して設置されている。
【００２３】
ガスを燃料とするバーナ１５は、一部がケース１２内に位置して天板１３上に高く突き出ないように臨まして、天板１３の手前側の左右と、この左右間の真中にあって後側にそれぞれ配置した３個が設けられている。この３個のバーナ１５には、それぞれガス流量制御装置１６が配管され、各ガス流量制御装置１６を介してガスの供給と遮断、そしてガス流量の制御で火力調節が行われる。従って、図３では一つのバーナ１５にガスを供給するガス流量制御部分を例にして説明する。
【００２４】
ガス流量制御装置１６は、ガス流量制御板１７と、これに相対抗して左右に移動し、ガス流量制御板１７との合致する開口面積の変化で通過するガスの流量調節および供給と遮断を行うスライド閉子１８と、スライド閉子１８を作動させるモータとしてのステッピングモータ１９と、ステッピングモータ１９の回転を左右への移動に変換し、かつ単一の乾電池２個の電池電源２０で回転するステッピングモータ１９の回転力でも充分にスライド閉子１８を動かせるように増力可能なカム、ギア等の駆動力変換手段２１と、ステッピングモータ１９によるスライド閉子１８の位置を常に検出するエンコーダ２２とで構成され、ケース１２内でバーナ１５にガスを供給し易い位置に設けている。
【００２５】
制御手段２３はマイクロコンピュータおよびその周辺回路で構成され、ガス流量制御装置１６とは別個に構成されてケース１２内に設け、電力を得るため電池電源２０に接続し、かつバーナ１５のＯＮ−ＯＦＦおよび火力調節の指示を行うため、帯状のフラットケーブル２４を介してガス流量制御装置１６のステッピングモータ１９およびエンコーダ２２と接続している。
【００２６】
操作部２５は、電気接点方式のスイッチで、タクトスイッチ、静電容量スイッチ等を採用して軽く触っても動作するソフトタッチ方式に構成し、３個のバーナ１５にそれぞれ対応して設けたもので、ガス流量制御装置１６、制御手段２３とは別個に形成したものである。すなわち、操作部２５は、ガス流量制御装置１６と制御手段２３と別個に形成できるのは、ガス流量制御装置１６が電池電源２０を電源にし、かつパルス信号により回転するステッピングモータ１９により作動されるスライド閉止１８とガス流量制御板１７、エンコーダ２０で構成され、そして制御手段２３の制御の指示で動作するものであるからで、フラットケーブル２４で操作部２５を制御手段２３に電気的に接続するだけでバーナ１５のＯＮ−ＯＦＦおよび火力調節の信号を送ることが可能になる。
【００２７】
従って、操作部２５はガス流量制御装置１６、制御手段２３の設置位置に左右されることなく別個にして、バーナ１５の火炎による熱影響、操作性、視認性のみを考慮し、天板上の温度的に設置可能なバーナ１５の熱影響の少ない天板１３の上面における周辺部の一つで手前側である周辺前部１３ａに設け、制御手段２３とはフラットケーブル２４を介して接続して、使用者の手の指が触れることでバーナ１５のＯＮ−ＯＦＦおよび火力調節を行う信号を制御手段２３に送るものである。
【００２８】
また操作部２５は、天板１３の上面より僅かに盛り上げた横長の操作部設置部２６に被覆されて操作部設置部２６の上面と面一に設け、かつそれぞれのバーナ１５の点火消火操作部２５ａと火力の上げ下げを行う近接した左右の火力調節操作部２５ｂを以って構成しており、これ以外にもガスコンロに機能を付加する場合には追加されるものである。
【００２９】
表示部２７は操作部２５である火力調節操作部２５ｂの真上に近接して５段階の火力調節と点火消火の表示ができるようにＬＥＤを操作部設置部２６に並設しており、操作部２５である点火消火操作部２５ａと火力調節操作部２５ｂに使用者の指等が触れるのに連動して点灯、消灯できるようにフラットケーブル２４を介して制御手段２３に接続している。
【００３０】
遮熱壁２８は、バーナ１５と操作部２５、表示部２７の間に天板１３の上面より突出して横長に設け、バーナ１５の火炎による加熱から操作部２５、表示部２７を護り、熱的影響を軽減するものである。そして、遮熱壁２８はバーナ１５が高さを低く（天板１３より突き出ている部分）しているので、同じように高さをできるだけ低く設定している。
【００３１】
また、遮熱壁２８はバーナ１５側に対向した面と遮熱壁２８の内底面とに複数の通気孔２９、３０を設けている。従って、バーナ１５が燃焼しているときはコンロ本体１１であるケース１２内がやや温度が上昇することも作用して矢印で示すように二次燃焼用の空気が通気孔２９、遮熱壁２８の内部空間、通気孔３０を経てケース１２に流れバーナ１５の燃焼に使用され、バーナ１５が消火すると矢印と逆に空気の流れが生じてケース１２内のやや温度上昇した空気を素早く排出するもので、いずれの状態にあっても遮熱壁２８の内部空間に空気の流動が生じるので遮熱作用に貢献できるものである。
【００３２】
バックガード３１は、天板１３の後側周辺部を徐々にやや上向きに傾斜させた前傾斜面３１ａとこの前傾斜面の頂上より急に下降した後傾斜面３１ｂとを有し、後傾斜面３１ｂに複数の通気孔３２を形成して、前記した遮熱壁２８の通気孔２９、３０と同様の作用効果、つまり二次燃焼用の空気のケース１２内への流入、そしてケース１２内の温度上昇した空気の排出を期待する構成にしたものである。
【００３３】
なお、天板１３の一部である操作部設置部２６に設けてある操作部２５である点火消火操作部２５ａ、火力調節操作部２５ｂ、表示部２７は、その表面を樹脂製のメンブレムにより覆われ、点火消火操作部２５ａ、火力調節操作部２５ｂはその下部にタクトスイッチを搭載した基板（図示せず）を設置することにより構成され、基板にはフラットケーブル２４の一端が接続され、他端はガス流量制御装置１６の制御手段２３に接続されている。
【００３４】
また、図中３３はゴトク、３４は天板１３に設けたバーナ突出用開口部、３５はガス流量制御装置１６の手前に配管接続した元電磁弁で、ステッピングモータ１９、エンコーダ２２の故障、フラットケーブル２４の断線等の発生または電源停止等で制御不能の時にガスの供給を遮断する。３６は操作部２５と同様の構成で以って設けた操作部２５の一つである電源操作部で、ガスコンロの使用安全を図るため、電池電源２０をＯＮ、ＯＦＦする電源スイッチである。３７は放電によりバーナ１５から噴出するガスに点火する放電点火手段である。
【００３５】
以上のように構成された組み込み式ガスコンロについて、以下その動作、作用を説明する。使用者は電源操作部３６を軽く押すと、電池電源２０が制御手段２３に供給される。続いて、点火消火操作部２５ａを押すと点火の信号がフラットケーブル２４を介して制御手段２３に送られ、そして制御手段２３により表示部２７の一つが点灯されるとともに、放電点火手段３７が放電を始める。
【００３６】
また、フラットケーブル２４を介して信号が伝達されたガス流量制御装置１６のステッピングモータ１９が駆動されてスライド閉止１８が移動してガスがバーナ１５に供給され、放電を始めた放電点火手段３７により点火されバーナ１５に火炎が形成される。
【００３７】
そして、左右いずれかの火力調節操作部２５ｂを使用者が押すと、その押す回数により表示部２７の点灯数が増減し、また制御手段２３は火力調節操作部２５ｂの押す回数の信号とエンコーダ２２からのスライド閉止１８の位置に対応したステッピングモータ１９の現在置の信号をそれぞれ取り込み、スライド閉止１８をスライドさせる値を演算してステッピングモータ１９にパルス信号を送る。
【００３８】
そして、このステッピングモータ１９により作動されてガス流量制御装置１６が火力調節操作部２５ｂの設定地になるようにガス流量を制御してバーナの燃焼量が制御されて火力が調節される。また、バーナ１５の消火を行うときは、点火消火操作部２５ａを再び押すことで消火の信号の伝達された制御手段２３は、ステッピングモータ１９を駆動してスライド閉止１８を閉じるとともに、表示部２７も消灯するものである。
【００３９】
このように本実施の形態では、バーナ１５にガスの供給、遮断とガス流量の制御で火力調節を行うガス流量制御装置１６およびその制御手段２３をコンロ本体１１のケース１２内に設置し、一方、操作部２５はガス流量制御装置１６およびその制御手段２３の設置位置に左右されることなく別個に設置できるので、バーナ１５の火炎による熱影響、操作性、視認性のみを考慮し、天板１３上の温度的に設置可能なバーナ１５の火炎の熱影響が少ない天板１３の上面における周辺部の一つである周辺前部１３ａに配置することが可能になる。
【００４０】
従って、使用者はキッチンカウンター１４におけるガスコンロの天板１３の手前に立った姿勢で操作部２５を上から見ながら、手を出して上方より操作部２５を操作でき、操作性、視認性を大幅に向上させることができる。
【００４１】
また、表示部２７は操作部２５の操作に連動してコンロ本体１１の作動状態を操作部２５の近くで表示するので、操作部２５は表示部２７を立った姿勢で見ながら操作でき、視認性、操作性を一層、向上させることができる。
【００４２】
また、操作部２５とバーナ１５との間に設置された遮熱壁２８により、バーナ１５からの熱を遮熱し、操作部２５の温度上昇を低減するとともに、鍋等が遮熱壁２８に置かれることで操作部２５に触ることがなくなり、操作部２５が鍋等で操作されるのを防止することができる。
【００４３】
また、操作部２５はタクトスイッチや静電容量スイッチ等の軽く触って動作するソフトタッチ方式に構成したので、操作部２５を天板１３と同程度の厚さで構成でき、天板上の掃除を容易に行うことができる。なお、天板１３を耐熱強化ガラスで構成した場合には、操作部２５を静電容量方式のスイッチに構成することも可能で、使用者は静電容量方式のスイッチである操作部に対向する耐熱強化ガラスの上面に指を触れるだけでよいことになる。そして、上記実施の形態では操作部設置部２６を天板１３の上面より僅かに盛り上げたが、天板１３の上面と面一にしてもよいものである。
【００４４】
また、ガス流量制御装置１６の制御手段２３と操作部２５との信号伝達は、フラットケーブル２４の有線で行っているので、表示部２７、操作部２５の設けてある操作設置部２６の全体を、天板１３に対して着脱自在にしてリモコンである遠隔操作方式にすることも可能になり、一層便利に使用できる。
【００４５】
なお、上記実施の形態では、ガスコンロの操作部２５を、天板１３の上面における手前側周辺部である周辺前部１３ａに横方向に配置したが、天板１３の左側周辺部または右側周辺部、そして天板１３の上面における手前側周辺部、左側周辺部、右側周辺部のそれぞれに分けて操作部を設けることも可能で、本発明と同等の作用効果を期待できるものである。
【００４６】
また、上記実施の形態では、ガス流量制御装置１６の制御手段２３と操作部２５との間の信号伝達を、フラットケーブル２４を使用した有線で行っているが、無線で行っても良いもので、この場合では送信部と受信部を制御手段２３と操作部２５に付加する必要があり、そして無線方式場合は操作部２５を天板１３の上面に着脱自在に設置して遠隔操作部としてのリモコン方式にする構成も可能である。
【００４７】
また、上記実施の形態では本発明を組み込み式ガスコンロに採用したが、据え置き型のガステーブルの操作部にも同様の構成が適用でき、本発明と同等の作用効果を期待できるものである。
【００４８】
また、上記実施の形態ではガス流量制御装置１６としてモータにより作動されてガスの供給、遮断とガス流量の調節を行っているが、本発明はこれに限定されるものではなく、目的を達成できる範囲内で種々、変更できるものである。
【産業上の利用可能性】
【００４９】
以上のように本発明は、ガス流量制御装置およびその制御手段とは別個に操作部を天板の上面における周辺部に配置することができ、ガスコンロ、ガステーブル等の操作部分を改善する技術に適用できる。
【図面の簡単な説明】
【００５０】
【図１】本発明の実施の形態１における組み込み式ガスコンロの要部切欠の上面図
【図２】同実施の形態１における組み込み式ガスコンロの概略断面図
【図３】同実施の形態１における組み込み式ガスコンロのガス流量制御部分のブロック図
【図４】従来の組み込み式ガスコンロの概略断面図
【符号の説明】
【００５１】
１１  コンロ本体
１３  天板
１３ａ  周辺前部
１５  バーナ
１６  ガス流量制御装置
２３  制御手段
２４  フラットケーブル
２５  操作部
２５ａ  点火消火操作部
２５ｂ  火力調節操作部
２７  表示部
２８  遮熱壁
【図１】
2005098539.tif 000003
【図２】
2005098539.tif 000004
【図３】
2005098539.tif 000005
【図４】
2005098539.tif 000006